(57)【要約】【課題】シャックルロッドをヒッチプレートに取り付ける作業の効率を向上させる。【解決手段】エレベータヒッチ装置は、メインロープが連結されたシャックルロッド１０と、シャックルロッド１０を固定するヒッチプレート５と、を有する。シャックルロッド１０は、メインロープが連結される側の反対側にコイルばね１１が巻き回されて、ナット１２で固定される。ヒッチプレート５は、昇降路上方に固定された平板状で、複数のＵ字形溝２１〜２６が形成される。Ｕ字形溝２１〜２６は、開口部２８がヒッチプレート５の端部に形成され、開口部２８から面内に延びる。シャックルロッド１０は、開口部２８から挿入されて溝底部で固定される。【選択図】図２
2011116531.tif 000002
【特許請求の範囲】
【請求項１】
昇降路内に配置されたレールに沿って移動可能に構成されたエレベータ乗りかごおよび釣合い錘を吊り下げる複数本のメインロープの端部を固定するためのエレベータロープヒッチ装置において、
前記各メインロープそれぞれの端部が連結されて、前記メインロープが連結される側の反対側にコイルばねが前記メインロープの軸方向に重なるように巻き回されたシャックルロッドと、
前記レールの上方に間接または直接に固定された少なくとも１つの平板状で、端部が開口しこの開口部から面内に延びて前記シャックルロッドが前記開口部から挿入可能な少なくとも１つの溝が形成されて、前記溝内で前記シャックルロッドを固定可能に構成されたヒッチプレートと、
を有することを特徴とするエレベータロープヒッチ装置。
【請求項２】
前記ヒッチプレートは、互いに積層可能な第１ヒッチプレートおよび第２ヒッチプレートを含み、
前記第１ヒッチプレートは、互いに平行な複数の前記溝からなる第１溝群が形成されて、
前記第２ヒッチプレートは、互いに平行な複数の前記溝からなる第２溝群が形成されて、
前記第１溝群および第２溝群同士が交差するように前記第１ヒッチプレートおよび第２ヒッチプレートが積層配置されたときに、
前記第１溝群および第２溝群によって積層方向に貫通するように形成される貫通部に前記シャックルロッドが配置されて固定されていること、
を特徴とする請求項１に記載のエレベータロープヒッチ装置。
【請求項３】
前記溝は、
前記ヒッチプレートの端部から直線的に延びるように形成されたロッド出入口部と、
前記ロッド出入口部の溝底部から両側に、前記ロッド出入口部に垂直に延びるロッド係合部と、を含み、
前記ロッド係合部の長手方向端部両側それぞれに前記シャックルロッドが配置されて固定されていること、
を特徴とする請求項１に記載のエレベータロープヒッチ装置。
【請求項４】
前記溝には、前記シャックルロッドが固定される部位に座ぐり部が形成され、この座ぐり部に前記コイルばねの前記メインロープ側の端部が係合可能に構成されていること、
を特徴とする請求項１ないし請求項３のいずれか一項に記載のエレベータロープヒッチ装置。
【請求項５】
前記各溝の一部を覆うように、前記ヒッチプレートの面上に着脱可能に取り付けられたストッパ部材を有し、
前記ストッパ部材は、前記シャックルロッドの溝開口側に取り付けて、前記シャックルロッドを固定するように構成されていること、
を特徴とする請求項１ないし請求項４のいずれか一項に記載のエレベータロープヒッチ装置。
【請求項６】
前記コイルばねの前記メインロープ側の端部に、前記コイルばねの一部を少なくとも半径方向外側から覆いながら、前記コイルばねの伸縮方向荷重を受けるように配置されたばね受け部材を有し、
前記ばね受け部材は、前記溝に係合可能に構成されて、前記ストッパ部材で固定可能に構成されていること、
を特徴とする請求項５に記載のエレベータロープヒッチ装置。
【発明の詳細な説明】
【技術分野】
【０００１】
本発明は、乗りかごおよび釣合い錘を吊り下げるメインロープを固定するためのエレベータロープヒッチ装置に関する。
【背景技術】
【０００２】
ロープ式のエレベータは、昇降路内を上下移動する乗りかごおよび釣合い錘を吊り下げるための複数のメインロープを有する。これらのメインロープの端部は、シャックルロッドに連結されている。このシャックルロッドは、ヒッチプレートに形成された貫通穴を貫通するように配置される。
【０００３】
このヒッチプレートは、乗りかごの上梁および釣合い錘の上部に取り付けられるものや、昇降路の上部に固定されるものがある。ヒッチプレートの貫通穴を貫通するように配置されたシャックルロッドには、コイルばねが外挿され、ばね受等を介してナットで抜け止め固定される。
【０００４】
メインロープのヒッチ装置は、例えば、特許文献１に開示されているように、メインロープが振動することに起因する騒音を抑制するために、ヒッチプレートに当接するコイルばねの座巻を、ヒッチプレートの貫通穴の中心軸を横切る方向に保持するもの等が知られている。
【先行技術文献】
【特許文献】
【０００５】
【特許文献１】特開２００７−２１０７３１号公報
【発明の概要】
【発明が解決しようとする課題】
【０００６】
上記のように構成されたヒッチプレートにシャックルロッドを取り付けるときには、コイルばね等を取り外した状態で、ヒッチプレートの貫通穴に挿入し、挿入後にコイルばね等を取り付ける必要がある。
【０００７】
ヒッチプレートは、昇降路上方等に固定されているため、メインロープを取り付けるための作業空間は狭いことが多い。シャックルロッドをヒッチプレートに取り付けた後に、当該シャックルロッドにコイルばね等を取り付ける作業を、効率よく行うことが困難になることがある。
【０００８】
本発明は上述した課題を解決するためになされたものであり、その目的は、エレベータ乗りかご等を吊り下げるメインロープをヒッチプレートに取り付ける作業および取り外す作業の効率を向上させることである。
【課題を解決するための手段】
【０００９】
上記目的を達成するための本発明に係るエレベータロープヒッチ装置は、昇降路内に配置されたレールに沿って移動可能に構成されたエレベータ乗りかごおよび釣合い錘を吊り下げる複数本のメインロープの端部を固定するためのエレベータロープヒッチ装置において、前記各メインロープそれぞれの端部が連結されて、前記メインロープが連結される側の反対側にコイルばねが前記メインロープの軸方向に重なるように巻き回されたシャックルロッドと、前記レールの上方に間接または直接に固定された少なくとも１つの平板状で、端部が開口しこの開口部から面内に延びて前記シャックルロッドが前記開口部から挿入可能な少なくとも１つの溝が形成されて、前記溝内で前記シャックルロッドを固定可能に構成されたヒッチプレートと、を有することを特徴とする。
【発明の効果】
【００１０】
本発明によれば、エレベータ乗りかご等を吊り下げるメインロープをヒッチプレートに取り付ける作業および取り外す作業の効率を向上させることが可能になる。
【図面の簡単な説明】
【００１１】
【図１】本発明に係る第１の実施形態のエレベータロープヒッチ装置の一部を示す概略正面図である。
【図２】図１のエレベータヒッチ装置の上面図で、第１Ｕ字形溝のみにシャックルロッド等が挿入された状態を示している。
【図３】図２のヒッチプレートにシャックルロッド等を挿入する状態を示す上面図である。
【図４】本発明に係る第２の実施形態のエレベータロープヒッチ装置の第１ヒッチプレートの上面図である。
【図５】図４の実施形態の第２ヒッチプレートの上面図である。
【図６】図４の実施形態の第１および第２ヒッチプレートが積層された状態を示す上面図である。
【図７】図６のVII−VII矢視正面図である。
【図８】本発明に係る第３の実施形態のエレベータロープヒッチ装置を示す概略上面図である。
【図９】図８のヒッチプレートにシャックルロッド等を挿入する状態を示す上面図である。
【図１０】本発明に係る第４の実施形態のエレベータロープヒッチ装置のヒッチプレートを示す上面図である。
【図１１】図１０のXI−XI矢視正面図である。
【図１２】本発明に係る第５の実施形態のエレベータロープヒッチ装置のヒッチプレートを示す上面図である。
【図１３】本発明に係る第６の実施形態のエレベータロープヒッチ装置で、シャックルロッドにばね受け部材が取り付けられた状態を示す概略正面図である。
【図１４】図１３のシャックルロッド等がヒッチプレートに取り付けられた状態を示す上面図である。
【図１５】図１３のXV−XV矢視正面図である。
【図１６】本発明に係る第７の実施形態のエレベータロープヒッチ装置の上面図である。
【図１７】図１６のXVII−XVII矢視正面図である。
【図１８】本発明に係る第８の実施形態のエレベータロープヒッチ装置の上面図である。
【図１９】本発明に係る第９の実施形態のエレベータロープヒッチ装置の上面図である。
【発明を実施するための形態】
【００１２】
以下、本発明に係るエレベータロープヒッチ装置の実施形態について、図面を参照して説明する。
【００１３】
［第１の実施形態］
本発明に係るエレベータロープヒッチ装置の第１の実施形態について、図１〜図３を用いて説明する。図１は、本実施形態のエレベータロープヒッチ装置の一部を示す概略正面図である。図２は、図１のエレベータヒッチ装置の上面図で、第１Ｕ字形溝２１のみにシャックルロッド１０等が挿入された状態を示す。図３は、図２のヒッチプレート５にシャックルロッド１０等を挿入する状態を示す上面図である。
【００１４】
本実施形態のエレベータロープヒッチ装置は、エレベータの昇降路内に配置されたレールに沿って移動可能な乗りかごおよび釣合い錘を吊り下げる複数本のメインロープ１を固定するためのものである。
【００１５】
先ず、本実施形態のエレベータロープヒッチ装置の構成について説明する。
【００１６】
このエレベータロープヒッチ装置は、複数のメインロープ１それぞれが連結されるシャックルロッド１０と、これらのシャックルロッド１０が着脱可能に取り付けられる１枚のヒッチプレート５と、を有する。
【００１７】
図１におけるシャックルロッド１０は、丸棒状のロッドで、一部に大径部１０ａが形成されている。この大径部１０ａは、メインロープ１が連結される部位から離れる方向に向かって除々に直径が大きくなるように形成されている。この大径部１０ａの縦断面は、台形になるように形成されている。大径部１０ａの上方は、ほぼ同じ直径の丸棒部材である。
【００１８】
大径部１０ａの上方には、大径部１０ａの上端と所定の間隔をあけてコイルばね１１が巻き回されている。大径部１０ａの上端でコイルばね１１は引っ掛かるように構成されている。このコイルばね１１は、メインロープ１の軸方向に重なるように巻かれている。このコイルばね１１の上端部には、２つのナット１２が取り付けられている。これらのナット１２によって、当該コイルばね１１がシャックルロッド１０の上端側から外れないように構成されている。２つのナット１２は、互いに締め合うことで緩みにくくする、いわゆるダブルナットを構成している。
【００１９】
ヒッチプレート５は、略長方形の平板状の部材で、表裏面が水平になるように配置されている。このヒッチプレート５は、図示は省略するが、昇降路内のレールの上方に直接または間接的に固定されている。このヒッチプレート５の面内には、６つのＵ字形溝、すなわち、第１Ｕ字形溝２１、第２Ｕ字形溝２２、第３Ｕ字形溝２３、第４Ｕ字形溝２４、第５Ｕ字形溝２５、および第６Ｕ字形溝２６が形成されている。第１〜第３Ｕ字形溝２１〜２３それぞれは、ヒッチプレート５上面の１つの長辺（図２における左方の長辺）から、当該長辺に垂直な方向に面内に延びている。図２における上方から下方に向かって、第１Ｕ字形溝２１、第２Ｕ字形溝２２、第３Ｕ字形溝２３の順に配列されている。第１〜第３Ｕ字形溝２１〜２３の開口部２８は当該長辺側で、溝底部２９は面内に形成されている。
【００２０】
また、第１〜第３Ｕ字形溝２１〜２３は、それぞれの溝深さがほぼ同じになるように、すなわち、各溝底部２９が、溝深さ方向に垂直な方向にほぼ直線的に並ぶように、形成されている。
【００２１】
一方、第４〜第６Ｕ字形溝２４〜２６それぞれは、第１Ｕ字形溝２１の開口部２８が形成される長辺に平行な長辺（図２における右方の長辺）から、当該長辺に垂直な方向に面内に延びている。図２における上方から下方に向かって、第４Ｕ字形溝２４、第５Ｕ字形溝２５、第６Ｕ字形溝２６の順に配列されている。第４〜第６Ｕ字形溝２４〜２６の開口部２８は当該長辺側で、溝底部２９は面内に形成されている。また、第４〜第６Ｕ字形溝２４〜２６は、第１〜第３Ｕ字形溝２１〜２３と同様に、各溝底部２９が、溝深さ方向に垂直な方向にほぼ直線的に並ぶように、形成されている。
【００２２】
各第１〜第６Ｕ字形溝２１〜２６それぞれの溝底部２９には、シャックルロッド１０が取付け可能である。各溝底部２９に配置されるシャックルロッド１０は、大径部１０ａがヒッチプレート５の下方に、コイルばね１１がヒッチプレート５の上方にあるように配置される。コイルばね１１の下端部が、ヒッチプレート５の上面に接した状態で取り付けられる。
【００２３】
また、ヒッチプレート５の上面は、２つのストッパ部材、すなわち第１ストッパ部材７１および第２ストッパ部材７２が取付け可能である。第１および第２ストッパ部材７１、７２それぞれは、横断面が略正方形の角柱状の部材である。
【００２４】
第１ストッパ部材７１は、第１〜第３Ｕ字形溝２１〜２３の一部を覆うように配置される。第２ストッパ部材７２は、第４〜第６Ｕ字形溝２４〜２６の一部を覆うように配置される。第１および第２ストッパ部材７１、７２は、互いに平行に取り付けられている。
【００２５】
第１ストッパ部材７１は、第１〜第３Ｕ字形溝２１〜２３内の各シャックルロッド１０に取り付けられたコイルばね１１を、第１Ｕ字形溝２１の開口部２８側から溝底部２９側に向かって押さえつけて固定する。第２ストッパ部材７２は、第４〜第６Ｕ字形溝２４〜２６内の各シャックルロッド１０に取り付けられたコイルばね１１を、第４Ｕ字形溝２４の開口部２８側から溝底部２９側に向かって押さえつけて固定する。これにより、各シャックルロッド１０それぞれが、第１〜第６Ｕ字形溝２１〜２６それぞれの開口部２８から外れることを抑制することができる。
【００２６】
続いて、ヒッチプレート５にシャックルロッド１０を取り付ける手順について説明する。
【００２７】
先ず、ヒッチプレート５を所定位置、例えば昇降路上方に固定する。ここで、ヒッチプレート５の固定方法については省略する。
【００２８】
次に、シャックルロッド１０にコイルばね１１およびナット１２が取り付けられた状態で、６つのシャックルロッド１０を、第１〜第６Ｕ字形溝２１〜２６それぞれの開口部２８から溝底部２９に向かって挿入する。この後に、第１ストッパ部材７１および第２ストッパ部材７２をヒッチプレート５の上面に取り付けて、各シャックルロッド１０を固定する。
【００２９】
シャックルロッド１０をヒッチプレート５から取り外すときには、上記の手順を逆に行えばよい。
【００３０】
以上の説明からわかるように、本実施形態によれば、メインロープ１が取り付けられたシャックルロッド１０を、コイルばね１１等を取り外すことなく、ヒッチプレート５に取付けおよび取外しを行うことが可能になる。これにより、メインロープ１等の交換作業や、エレベータの据付作業等を効率よく行うことが可能になる。
【００３１】
［第２の実施形態］
本発明に係るエレベータロープヒッチ装置の第２の実施形態について、図４〜図７を用いて説明する。図４は、本実施形態のエレベータロープヒッチ装置の第１ヒッチプレート６の上面図である。図５は、本実施形態の第２ヒッチプレート７の上面図である。図６は、図４および図５に示す第１および第２ヒッチプレート６、７が積層された状態を示す上面図である。なお、図６では、第１〜第９貫通部３１〜３９に挿入されるシャックルロッド１０等の図示は省略している。図７は、図６のVII−VII矢視正面図である。
【００３２】
なお、本実施形態は、第１の実施形態（図１〜図３）の変形例であって、第１の実施形態と同一部分または類似部分には、同一符号を付して、重複説明を省略する。
【００３３】
本実施形態のエレベータロープヒッチ装置は、２つのヒッチプレート、すなわち、第１ヒッチプレート６および第２ヒッチプレート７を有し、これらが上下に積層されている。
【００３４】
第１ヒッチプレート６は、略正方形の平板状で互いに平行に、第１Ｕ字形溝２１、第２Ｕ字形溝２２および第３Ｕ字形溝２３が形成されている。これらの第１〜第３Ｕ字形溝２１〜２３は、１つの辺にそれぞれの開口部２８が形成されている。また、各溝底部２９が、溝深さ方向に垂直な方向にほぼ直線的に並ぶように、形成されている。
【００３５】
第２ヒッチプレート７は、第１ヒッチプレート６と同様の形状で、第４Ｕ字形溝２４、第５Ｕ字形溝２５および第６Ｕ字形溝２６が、第１〜第３Ｕ字形溝２１〜２３と同様に形成されている。
【００３６】
第１ヒッチプレート６の上に第２ヒッチプレート７が重なるように、且つ、第１ヒッチプレート６および第２ヒッチプレート７それぞれに形成されたＵ字形溝２１〜２６同士が互いに垂直になるように積層されている。
【００３７】
このとき、第１〜第３Ｕ字形溝２１〜２３と、第４〜第６Ｕ字形溝２４〜２６とが、互いに重なって、上下方向に貫通する貫通部が９つ形成される。すなわち、第１Ｕ字形溝２１と、第４〜第６Ｕ字形溝２４〜２６それぞれとが重なる部分が、上下に貫通して、第１貫通部３１、第２貫通部３２および第３貫通部３３が形成される。第２Ｕ字形溝２２と、第４〜第６Ｕ字形溝２４〜２６それぞれとが重なる部分が、上下に貫通して、第４貫通部３４、第５貫通部３５および第６貫通部３６が形成される。同様に、第３Ｕ字形溝２３と、第４〜第６Ｕ字形溝２４〜２６それぞれとが重なる部分が、上下に貫通して、第７貫通部３７、第８貫通部３８および第９貫通部３９が形成される。
【００３８】
これらの第１〜第９貫通部３１〜３９それぞれに、メインロープ１が連結されたシャックルロッド１０が挿入されている。シャックルロッド１０それぞれが各貫通部３１〜３９内にあるときは、シャックルロッド１０のコイルばね１１の下端部が、第２ヒッチプレート７の上面、すなわち、第４〜第６Ｕ字形溝２４〜２６それぞれの縁面に引っ掛かるように係合する。各シャックルロッド１０は、第１ヒッチプレート６の下方で、メインロープ１に連結されている。
【００３９】
続いて、第１および第２ヒッチプレート６、７にシャックルロッド１０を取り付ける手順について説明する。
【００４０】
先ず、第２ヒッチプレート７を昇降路上方に固定する。固定方法の説明は省略する。
【００４１】
次に、固定された第２ヒッチプレート７の第４〜第６Ｕ字形溝２４〜２６それぞれに３つずつ、合計９つのシャックルロッド１０を配置する。このとき、第４〜第６Ｕ字形溝２４〜２６それぞれに３つのシャックルロッド１０が等間隔になるように配列する。
【００４２】
第４〜第６Ｕ字形溝２４〜２６それぞれの溝底部２９に配置されたシャックルロッド１０は、第４〜第６Ｕ字形溝２４〜２６に垂直な方向に直線的に配列されている。また、第４〜第６Ｕ字形溝２４〜２６それぞれの溝底部２９から開口側隣に配置されたシャックルロッド１０は、第４〜第６Ｕ字形溝２４〜２６に垂直な方向に直線的に配列されている。同様に、第４〜第６Ｕ字形溝２４〜２６それぞれの最も開口部２８側に配列されたシャックルロッド１０も、第４〜第６Ｕ字形溝２４〜２６に垂直な方向に直線的に配列されている。
【００４３】
この状態で、第１ヒッチプレート６を第２ヒッチプレート７の下方に取り付ける。このとき、第１Ｕ字形溝２１は、第４〜第６Ｕ字形溝２４〜２６それぞれの溝底部２９にあるシャックルロッド１０が第１Ｕ字形溝２１内に配置されるように取り付けられる。このとき、第２Ｕ字形溝２２内には、第４〜第６Ｕ字形溝２４〜２６それぞれの溝底部２９にあるシャックルロッド１０の開口部２８側隣にあるシャックルロッド１０が配置されるように取り付けられている。また、第３Ｕ字形溝２３内には、第４〜第６Ｕ字形溝２４〜２６それぞれの最も開口部２８側にあるシャックルロッド１０が配置されるように取り付けられている。これにより、第１〜第９貫通部３１〜３９それぞれにシャックルロッド１０が挿入された状態になる。
【００４４】
この後に、第１ヒッチプレート６および第２ヒッチプレート７を互いに固定する。固定方法の図示は省略しているが、ボルト等で締結すればよい。
【００４５】
以上の説明からわかるように、本実施形態によれば、第１の実施形態と同様の効果を得ることができる。また、第１〜第９貫通部３１〜３９内にシャックルロッド１０を固定することで、シャックルロッド１０の水平方向の固定強度を向上させることが可能になる。
【００４６】
［第３の実施形態］
本発明に係るエレベータロープヒッチ装置の第３の実施形態について、図８および図９を用いて説明する。図８は、本実施形態のエレベータロープヒッチ装置を示す概略上面図である。なお、図８では、第１〜第５ロッド配置部５１〜５４に取り付けられるシャックルロッド１０等の図示は省略している。図９は、図８のヒッチプレート５にシャックルロッド１０等を挿入する状態を示す上面図である。
【００４７】
なお、本実施形態は、第１の実施形態（図１〜図３）の変形例であって、第１の実施形態と同一部分または類似部分には、同一符号を付して、重複説明を省略する。
【００４８】
本実施形態のエレベータロープヒッチ装置のヒッチプレート５は、略長方形の平板状で、２つのＴ字形溝、すなわち、第１Ｔ字形溝４１および第２Ｔ字形溝４２が形成されている。
【００４９】
第１Ｔ字形溝４１は、第１ロッド出入口部４１ａと、第１ロッド係合部４１ｂと、を含む。また、第２Ｔ字形溝４２は、第２ロッド出入口部４２ａと、第２ロッド係合部４２ｂと、を含む。
【００５０】
第１ロッド出入口部４１ａは、ヒッチプレート５の１つの長辺（図８における左方の長辺）のほぼ中央に開口し、この長辺に垂直に面内に向かって延びている。第１ロッド係合部４１ｂは、第１ロッド出入口部４１ａの端部から両側それぞれに、第１ロッド出入口部４１ａに垂直に延びている。ヒッチプレート５を上から見ると、第１ロッド出入口部４１ａおよび第１ロッド係合部４１ｂを合わせると、アルファベットの「Ｔ」字のように見える。この第１ロッド係合部４１ｂの両端それぞれにシャックルロッド１０が配置されるロッド配置部、すなわち第１ロッド配置部５１および第２ロッド配置部５２が形成される。図９における第１ロッド係合部４１ｂの上側が第１ロッド配置部５１で、下側が第２ロッド配置部５２である。
【００５１】
第２ロッド出入口部４２ａは、第１ロッド出入口部４１ａの開口が形成される辺に対向する辺（図８における右方の長辺）に形成される。第１ロッド出入口部４１ａおよび第２ロッド出入口部４２ａは、ヒッチプレート５を半分に切るように横断する仮想直線に沿って互いに線対称になるように形成されている。
【００５２】
第２ロッド係合部４２ｂは、第２ロッド出入口部４２ａの端部から両側それぞれに、第２ロッド出入口部４２ａに垂直に延びている。この第２ロッド係合部４２ｂの両端それぞれに第３ロッド配置部５３および第４ロッド配置部５４が形成される。ここで、図９における第２ロッド係合部４２ｂの上側が第３ロッド配置部５３で、下側が第４ロッド配置部５４である。シャックルロッド１０は、第１〜第４ロッド配置部５１〜５４に各１つずつ、合計４つ配置されている。
【００５３】
また、第１Ｔ字形溝４１および第２Ｔ字形溝４２は、ヒッチプレート５を半分に切るように縦断する仮想直線に沿って互いに線対称になるように形成されている。
【００５４】
ヒッチプレート５の上面は、第１ストッパ部材７１および第２ストッパ部材７２が取付け可能である。第１ストッパ部材７１は、第１ロッド出入口部４１ａが延びる方向に平行に配置されて、第１ロッド配置部５１および第３ロッド配置部５３それぞれに配置されたシャックルロッド１０のコイルばね１１を水平方向から第１ロッド係合部４１ｂが延びる方向に押え付けている。第２ストッパ部材７２は、第２ロッド出入口部４２ａが延びる方向に平行に配置されて、第２ロッド配置部５２および第４ロッド配置部５４それぞれに配置されたシャックルロッド１０のコイルばね１１を水平方向から第２ロッド係合部４２ｂが延びる方向に押え付けている。
【００５５】
本実施形態のエレベータロープヒッチ装置の取付け手順は、第１の実施形態と同様に、先ず、ヒッチプレート５を所定位置に固定する。次に、メインロープ１が連結されてコイルばね１１等が取り付けられたシャックルロッド１０を、第１および第２ロッド出入口部４１ａ、４２ａそれぞれに２つずつ挿入して、第１〜第４ロッド配置部５１〜５４それぞれにシャックルロッド１０を配置する。この後に、第１および第２ストッパ部材７１、７２を取り付けて、各シャックルロッド１０を固定する。
【００５６】
シャックルロッド１０をヒッチプレート５から取り外すときには、上記の手順を逆に行えばよい。
【００５７】
以上の説明からわかるように、本実施形態によれば、第１の実施形態と同様の効果を得ることができる。また、第１〜第４ロッド配置部５１〜５４内にシャックルロッド１０を固定することで、シャックルロッド１０の水平方向の固定強度を向上させることが可能になる。
【００５８】
［第４の実施形態］
本発明に係るエレベータロープヒッチ装置の第４の実施形態について、図１０および図１１を用いて説明する。図１０は、本実施形態のエレベータロープヒッチ装置のヒッチプレート５を示す上面図である。なお、図１０では、第３および第６Ｕ字形溝２３、２６にシャックルロッド１０等が取り付けられている状態を示している。図１１は、図１０のXI−XI矢視正面図である。
【００５９】
なお、本実施形態は、第１の実施形態（図１〜図３）の変形例であって、第１の実施形態と同一部分または類似部分には、同一符号を付して、重複説明を省略する。
【００６０】
本実施形態のエレベータロープヒッチ装置は、第１の実施形態で説明したヒッチプレート５（図２）の第１〜第６Ｕ字形溝２１〜２６それぞれの溝底部２９の縁面に、座ぐり部６０が形成されている。これらの座ぐり部６０は、ヒッチプレート５の上面から下方に向かって一部段差が形成されている。この段差にシャックルロッド１０のコイルばね１１の下端部が嵌込み可能である。
【００６１】
これにより、第１の実施形態と同様に効果を得ると共に、シャックルロッド１０をより安定して固定することが可能になる。
【００６２】
［第５の実施形態］
本発明に係るエレベータロープヒッチ装置の第５の実施形態について、図１２を用いて説明する。図１２は、本実施形態のエレベータロープヒッチ装置のヒッチプレート５を示す上面図である。なお、図１２では、第１〜第４ロッド配置部５１〜５４等に取り付けられるシャックルロッド１０等の図示は省略している。
【００６３】
なお、本実施形態は、第４の実施形態（図１０、図１１）の変形例であって、第４の実施形態と同一部分または類似部分には、同一符号を付して、重複説明を省略する。
【００６４】
本実施形態のエレベータロープヒッチ装置は、第３の実施形態で説明したヒッチプレート５（図７）に、第１〜第４ロッド配置部５１〜５４それぞれと、第１ロッド出入口部４１ａおよび第１ロッド係合部４１ｂとが交差する部位と、第２ロッド出入口部４２ａおよび第２ロッド係合部４２ｂとが交差する部位と、にそれぞれ座ぐり部６０が形成されている。すなわち、ヒッチプレート５に合計６つの座ぐり部６０が形成されている。これらの座ぐり部６０の形状は、第４の実施形態と同様である。
【００６５】
これにより、第４の実施形態と同様に効果を得ると共に、シャックルロッド１０をより安定して固定することが可能になる。
【００６６】
［第６の実施形態］
本発明に係るエレベータロープヒッチ装置の第６の実施形態について、図１３〜図１５を用いて説明する。図１３は、本実施形態のエレベータロープヒッチ装置で、シャックルロッド１０にばね受け部材６５が取り付けられた状態を示す概略正面図である。図１４は、図１３のシャックルロッド１０等がヒッチプレート５に取り付けられた状態を示す上面図である。図１５は、図１３のXV−XV矢視正面図である。なお、本実施形態は、第１の実施形態（図１〜図３）の変形例であって、第１の実施形態と同一部分または類似部分には、同一符号を付して、重複説明を省略する。
【００６７】
本実施形態のエレベータロープヒッチ装置は、シャックルロッド１０に取り付けられたコイルばね１１の下端部に、ばね受け部材６５が取り付けられている。このばね受け部材６５は、外形は段付きの円筒状で、異なる径の円筒、小径円筒部６５ａおよび大径円筒部６５ｂが上下に積層されている。大径円筒部６５ｂが上側、小径円筒部６５ａが下側になるように配置されている。大径円筒部６５ｂの上面には、コイルばね１１が挿入可能な嵌合穴６５ｃが形成されている。
【００６８】
また、このばね受け部材６５は、大径円筒部６５ｂおよび小径円筒部６５ａによって形成される段差部が、第１〜第６Ｕ字形溝２１〜２６それぞれの溝底部２９の縁面に引っ掛かって係合するように構成されている。ばね受け部材６５付きのシャックルロッド１０は、第１〜第６Ｕ字形溝２１〜２６の溝底部２９にそれぞれ配置されて、第１および第２ストッパ部材７１、７２で固定される。
【００６９】
これにより、第１の実施形態と同様に効果を得ると共に、シャックルロッド１０をより安定して固定することが可能になる。
【００７０】
［第７の実施形態］
本発明に係るエレベータロープヒッチ装置の第７の実施形態について、図１６および図１７を用いて説明する。図１６は、本実施形態のエレベータロープヒッチ装置の上面図である。図１７は、図１６のXVII−XVII矢視正面図である。なお、本実施形態は、第６の実施形態（図１３〜図１５）の変形例であって、第６の実施形態と同一部分または類似部分には、同一符号を付して、重複説明を省略する。
【００７１】
本実施形態のエレベータロープヒッチ装置は、第６の実施形態で説明した第１および第２ストッパ部材７１、７２に替えて、第１Ｌ字形ストッパ部材７５および第２Ｌ字形ストッパ部材７６を有している。第１および第２Ｌ字形ストッパ部材７５、７６それぞれは、横断面がアルファベットの「Ｌ」の字のような形のＬ字アングル材により構成されている。
【００７２】
第１および第２Ｌ字形ストッパ部材７５、７６それぞれの垂直な面、すなわちヒッチプレート５に対して垂直な部分が、コイルばね１１に対向して立ち上がるように配置されている。
【００７３】
これにより、第６の実施形態に比べてエレベータロープヒッチ装置がより軽量化された状態で、第６の実施形態と同程度の水平方向固定強度を得ることが可能になる。
【００７４】
［第８の実施形態］
本発明に係るエレベータロープヒッチ装置の第８の実施形態について、図１８を用いて説明する。図１８は、本実施形態のエレベータロープヒッチ装置の上面図である。なお、本実施形態は、第６の実施形態（図１３〜図１５）の変形例であって、第６の実施形態と同一部分または類似部分には、同一符号を付して、重複説明を省略する。
【００７５】
本実施形態のエレベータロープヒッチ装置は、第６の実施形態で説明したばね受け部材６５が取り付けられたシャックルロッド１０が、第３の実施形態（図８、図９）で説明したヒッチプレート５に固定されている。第１および第２ストッパ部材７１、７２は、それぞれのロッド出入口部４１ａ、４２ａの開口側から各シャックルロッド１０のコイルばね１１を押さえつけて固定されている。
【００７６】
これにより、第６の実施形態と同様の効果を得ると共に、ヒッチプレート５の製作工数を削減できる。
【００７７】
［第９の実施形態］
本発明に係るエレベータロープヒッチ装置の第９の実施形態について、図１９を用いて説明する。図１９は、本実施形態のエレベータロープヒッチ装置の上面図である。なお、本実施形態は、第７の実施形態（図１６、図１７）の変形例であって、第７の実施形態と同一部分または類似部分には、同一符号を付して、重複説明を省略する。
【００７８】
本実施形態のエレベータロープヒッチ装置は、第１および第２ストッパ部材７１、７２の代わりに、第１および第２Ｌ字形ストッパ部材７５、７６が取り付けられている。これにより、第７の実施形態と同様の効果を得ると共に、エレベータロープヒッチ装置をより軽量化することが可能になる。
【００７９】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００８０】
例えば、第４の実施形態（図１０、図１１）で説明した座ぐり部６０が形成されたヒッチプレート５に、第６の実施形態（図１３〜図１５）で説明したばね受け部材６５が取り付けられたシャックルロッド１０を取り付けてもよい。
【符号の説明】
【００８１】
１…メインロープ、５…ヒッチプレート、６…第１ヒッチプレート、７…第２ヒッチプレート、１０…シャックルロッド、１０ａ…大径部、１１…コイルばね、１２…ナット、２１…第１Ｕ字形溝、２２…第２Ｕ字形溝、２３…第３Ｕ字形溝、２４…第４Ｕ字形溝、２５…第５Ｕ字形溝、２６…第６Ｕ字形溝、２８…開口部、２９…溝底部、３１…第１貫通部、３２…第２貫通部、３３…第３貫通部、３４…第４貫通部、３５…第５貫通部、３６…第６貫通部、３７…第７貫通部、３８…第８貫通部、３９…第９貫通部、４１…第１Ｔ字形溝、４１ａ…第１ロッド出入口部、４１ｂ…第１ロッド係合部、４２…第２Ｔ字形溝、４２ａ…第２ロッド出入口部、４２ｂ…第２ロッド係合部、５１…第１ロッド配置部、５２…第２ロッド配置部、５３…第３ロッド配置部、５４…第４ロッド配置部、６０…座ぐり部、６５…ばね受け部材、６５ａ…小径円筒部、６５ｂ…大径円筒部、６５ｃ…嵌合穴、７１…第１ストッパ部材、７２…第２ストッパ部材、７５…第１Ｌ字形ストッパ部材、７６…第２Ｌ字形ストッパ部材
【図１】
2011116531.tif 000003
【図２】
2011116531.tif 000004
【図３】
2011116531.tif 000005
【図４】
2011116531.tif 000006
【図５】
2011116531.tif 000007
【図６】
2011116531.tif 000008
【図７】
2011116531.tif 000009
【図８】
2011116531.tif 000010
【図９】
2011116531.tif 000011
【図１０】
2011116531.tif 000012
【図１１】
2011116531.tif 000013
【図１２】
2011116531.tif 000014
【図１３】
2011116531.tif 000015
【図１４】
2011116531.tif 000016
【図１５】
2011116531.tif 000017
【図１６】
2011116531.tif 000018
【図１７】
2011116531.tif 000019
【図１８】
2011116531.tif 000020
【図１９】
2011116531.tif 000021